【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
ドーマント状態に遷移することと、
前記ドーマント状態にある間、超低デューティサイクル信号（ＬＤＣＳ）を送信することとを備える、ユーザ機器リレー（ＵＥリレー）におけるワイヤレス通信の方法。
【請求項２】
第２のエンティティにＬＤＣＳ構成を送信することをさらに備え、ここにおいて、前記第２のエンティティが、ドーマント状態にない低電力ノード（ＬＰＮ）とマクロセルとのうちの１つを備える、請求項１に記載の方法。
【請求項３】
前記ＬＤＣＳ構成が前記ＬＤＣＳのための送信電力情報を備える、請求項１に記載の方
法。
【請求項４】
前記ＬＤＣＳが、前記ＵＥリレーのためのバックホール品質情報とローディング能力情報とのうちの少なくとも１つをさらに備える、請求項１に記載の方法。
【請求項５】
前記ドーマント状態への前記遷移がアクティブ状態から行われ、前記遷移が、所定の時間期間の満了に少なくとも部分的に基づいて実行される、請求項１に記載の方法。
【請求項６】
少なくとも１つの接続されたユーザ機器（ＵＥ）を監視することと、
いずれかの接続されたＵＥがアクティブであるかどうかを判断することと、ここにおいて、どのＵＥも前記所定の時間期間の間にアクティブでないと判断されたとき、前記ドーマント状態への前記遷移が実行される、をさらに備える、請求項５に記載の方法。
【請求項７】
前記ＵＥリレーのどの接続されたＵＥもアクティブでないと判断することと、
前記ＵＥリレーのどの接続されたＵＥもアクティブでないと判断されたとき、間欠受信および送信（ＤＲＸ／ＤＴＸ）モードに遷移することと、ここにおいて、前記ドーマント状態への前記遷移が前記ＤＲＸ／ＤＴＸモードから実行される、をさらに備える、請求項６に記載の方法。
【請求項８】
前記ＤＲＸ／ＤＴＸモードが、前記ＵＥリレーのアクセスリンクのための構成と、前記ＵＥリレーのバックホールリンクのための構成とを備える、請求項７に記載の方法。
【請求項９】
前記ＵＥリレーの前記アクセスリンクのための前記構成が、前記ＵＥリレーの前記バックホールリンクの前記構成と整合する、請求項８に記載の方法。
【請求項１０】
前記ＵＥリレーの前記アクセスリンクのための前記構成が、前記ＵＥリレーの前記バックホールリンクの前記構成とは異なる、請求項８に記載の方法。
【請求項１１】
請求項１から１０のうちのいずれかにしたがった方法を実行するための命令を備えるコンピュータプログラム。
【請求項１２】
ドーマント状態に遷移するための手段と、
前記ドーマント状態にある間、超低デューティサイクル信号（ＬＤＣＳ）を送信するための手段とを備える、ワイヤレス通信のための装置。
【請求項１３】
送信するための前記手段が、第２のエンティティにＬＤＣＳ構成を送信し、ここにおいて、前記第２のエンティティが、ドーマント状態にない低電力ノード（ＬＰＮ）とマクロセルとのうちの１つを備える、請求項１２に記載の装置。
【請求項１４】
前記ＬＤＣＳ構成が前記ＬＤＣＳのための送信電力情報を備える、請求項１２に記載の装置。
【請求項１５】
前記ＬＤＣＳが、前記ＵＥリレーのためのバックホール品質情報とローディング能力情報とのうちの少なくとも１つをさらに備える、請求項１２に記載の装置。
【手続補正２】
【補正対象書類名】明細書
【補正対象項目名】０１３１
【補正方法】変更
【補正の内容】
【０１３１】
[00150]以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
[Ｃ１]
ドーマント状態に遷移することと、
前記ドーマント状態にある間、超低デューティサイクル信号（ＬＤＣＳ）を送信することとを備える、ユーザ機器リレー（ＵＥリレー）におけるワイヤレス通信の方法。
[Ｃ２]
第２のエンティティにＬＤＣＳ構成を送信することをさらに備え、ここにおいて、前記第２のエンティティが、ドーマント状態にない低電力ノード（ＬＰＮ）とマクロセルとのうちの１つを備える、Ｃ１に記載の方法。
[Ｃ３]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ１に記載の方法。
[Ｃ４]
前記ＬＤＣＳ構成が前記ＬＤＣＳのための送信電力情報を備える、Ｃ１に記載の方法。
[Ｃ５]
前記ＬＤＣＳを送信した後に所定のＲＡＣＨ遅延においてランダムアクセスチャネル（ＲＡＣＨ）メッセージを監視することをさらに備える、Ｃ１に記載の方法。
[Ｃ６]
前記所定のＲＡＣＨ遅延が、前記送信されるＬＤＣＳと前記ＬＤＣＳ構成のうちの少なくとも１つにおいて備えられる、Ｃ５に記載の方法。
[Ｃ７]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ６に記載の方法。
[Ｃ８]
前記ＬＤＣＳが、前記ＵＥリレーのためのバックホール品質情報とローディング能力情報とのうちの少なくとも１つをさらに備える、Ｃ１に記載の方法。
[Ｃ９]
前記ドーマント状態への前記遷移がアクティブ状態から行われ、前記遷移が、所定の時間期間の満了に少なくとも部分的に基づいて実行される、Ｃ１に記載の方法。
[Ｃ１０]
少なくとも１つの接続されたユーザ機器（ＵＥ）を監視することと、
いずれかの接続されたＵＥがアクティブであるかどうかを判断することと、ここにおいて、どのＵＥも前記所定の時間期間の間にアクティブでないと判断されたとき、前記ドーマント状態への前記遷移が実行される、をさらに備える、Ｃ９に記載の方法。
[Ｃ１１]
前記ＵＥリレーのどの接続されたＵＥもアクティブでないと判断することと、
前記ＵＥリレーのどの接続されたＵＥもアクティブでないと判断されたとき、間欠受信および送信（ＤＲＸ／ＤＴＸ）モードに遷移することと、ここにおいて、前記ドーマント状態への前記遷移が前記ＤＲＸ／ＤＴＸモードから実行される、をさらに備える、Ｃ１０に記載の方法。
[Ｃ１２]
どの接続されたＵＥもアクティブでないと判断することをさらに備え、ここにおいて、前記ＵＥリレーが、どの接続されたＵＥもアクティブでないと判断した後に前記所定の時間期間において前記ドーマント状態に遷移する、Ｃ１１に記載の方法。
[Ｃ１３]
前記ＵＥリレーまたは低電力ノード（ＬＰＮ）の前記ＤＲＸ／ＤＴＸモードを少なくとも１つの接続されたＵＥのＤＲＸ／ＤＴＸモードに整合させることをさらに備える、Ｃ１１に記載の方法。
[Ｃ１４]
前記ＵＥリレーまたは低電力ノード（ＬＰＮ）の前記ＤＲＸ／ＤＴＸモードを複数の接続されたＵＥのＤＲＸ／ＤＴＸモードに整合させることをさらに備え、ここにおいて、前記接続されたＵＥの各々のための前記ＤＲＸ／ＤＴＸモードが異なる、Ｃ１１に記載の方法。
[Ｃ１５]
前記ＵＥリレーまたは低電力ノード（ＬＰＮ）の前記ＤＲＸ／ＤＴＸモードを複数の接続されたＵＥのＤＲＸ／ＤＴＸモードに整合させることをさらに備え、ここにおいて、前記接続されたＵＥの各々のための前記ＤＲＸ／ＤＴＸモードが同じである、Ｃ１１に記載の方法。
[Ｃ１６]
前記ＤＲＸ／ＤＴＸモードが、前記ＵＥリレーのアクセスリンクのための構成と、前記ＵＥリレーのバックホールリンクのための構成とを備える、Ｃ１１に記載の方法。
[Ｃ１７]
前記ＵＥリレーの前記アクセスリンクのための前記構成が、前記ＵＥリレーの前記バックホールリンクの前記構成と整合する、Ｃ１６に記載の方法。
[Ｃ１８]
前記ＵＥリレーの前記アクセスリンクのための前記構成が、前記ＵＥリレーの前記バックホールリンクの前記構成とは異なる、Ｃ１６に記載の方法。
[Ｃ１９]
ドーマント状態に遷移するための手段と、
前記ドーマント状態にある間、超低デューティサイクル信号（ＬＤＣＳ）を送信するための手段とを備える、ワイヤレス通信のための装置。
[Ｃ２０]
送信するための前記手段が、第２のエンティティにＬＤＣＳ構成を送信し、ここにおいて、前記第２のエンティティが、ドーマント状態にない低電力ノード（ＬＰＮ）とマクロセルとのうちの１つを備える、Ｃ１９に記載の装置。
[Ｃ２１]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ１９に記載の装置。
[Ｃ２２]
前記ＬＤＣＳ構成が前記ＬＤＣＳのための送信電力情報を備える、Ｃ１９に記載の装置。
[Ｃ２３]
前記ＬＤＣＳを送信した後に所定のＲＡＣＨ遅延においてランダムアクセスチャネル（ＲＡＣＨ）メッセージを監視するための手段をさらに備える、Ｃ１９に記載の装置。
[Ｃ２４]
前記所定のＲＡＣＨ遅延が、前記送信されるＬＤＣＳと前記ＬＤＣＳ構成のうちの少なくとも１つにおいて備えられる、Ｃ２３に記載の装置。
[Ｃ２５]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ２４に記載の装置。
[Ｃ２６]
前記ＬＤＣＳが、前記ＵＥリレーのためのバックホール品質情報とローディング能力情報とのうちの少なくとも１つをさらに備える、Ｃ１９に記載の装置。
[Ｃ２７]
前記ドーマント状態への前記遷移がアクティブ状態から行われ、前記遷移が、所定の時間期間の満了に少なくとも部分的に基づいて実行される、Ｃ１９に記載の装置。
[Ｃ２８]
少なくとも１つの接続されたユーザ機器（ＵＥ）を監視するための手段と、
いずれかの接続されたＵＥがアクティブであるかどうかを判断するための手段と、ここにおいて、どのＵＥも前記所定の時間期間の間にアクティブでないと判断されたとき、前記ドーマント状態への前記遷移が実行される、をさらに備える、Ｃ２７に記載の装置。
[Ｃ２９]
判断するための前記手段が、前記ＵＥリレーのいずれかの接続されたＵＥがアクティブであるかどうかを判断し、
前記装置のどの接続されたＵＥもアクティブでないと判断されたとき、遷移するための前記手段が、間欠受信および送信（ＤＲＸ／ＤＴＸ）モードに遷移し、ここにおいて、前記ドーマント状態への前記遷移が前記ＤＲＸ／ＤＴＸモードから実行される、Ｃ２８に記載の装置。
[Ｃ３０]
判断するための前記手段が、いずれかの接続されたＵＥがアクティブであるかどうかを判断し、ここにおいて、前記装置が、どの接続されたＵＥもアクティブでないと判断した後に前記所定の時間期間において前記ドーマント状態に遷移する、Ｃ２９に記載の装置。
[Ｃ３１]
遷移するための前記手段が、前記装置の前記ＤＲＸ／ＤＴＸモードを少なくとも１つの接続されたＵＥのＤＲＸ／ＤＴＸモードに整合させる、Ｃ２９に記載の装置。
[Ｃ３２]
遷移するための前記手段が、前記装置の前記ＤＲＸ／ＤＴＸモードを複数の接続されたＵＥのＤＲＸ／ＤＴＸモードに整合させ、ここにおいて、前記接続されたＵＥの各々のための前記ＤＲＸ／ＤＴＸモードが異なる、Ｃ２９に記載の装置。
[Ｃ３３]
遷移するための前記手段が、前記装置の前記ＤＲＸ／ＤＴＸモードを複数の接続されたＵＥのＤＲＸ／ＤＴＸモードに整合させ、ここにおいて、前記接続されたＵＥの各々のための前記ＤＲＸ／ＤＴＸモードが同じである、Ｃ２９に記載の装置。
[Ｃ３４]
前記ＤＲＸ／ＤＴＸモードが、前記装置のアクセスリンクのための構成と、前記装置のバックホールリンクのための構成とを備える、Ｃ２９に記載の装置。
[Ｃ３５]
前記装置の前記アクセスリンクのための前記構成が、前記装置の前記バックホールリンクの前記構成と整合する、Ｃ３４に記載の装置。
[Ｃ３６]
前記装置の前記アクセスリンクのための前記構成が、前記装置の前記バックホールリンクの前記構成とは異なる、Ｃ３４に記載の装置。
[Ｃ３７]
ドーマント状態に遷移することと、
前記ドーマント状態にある間、超低デューティサイクル信号（ＬＤＣＳ）を送信することと
を行うように構成された処理システム
を備える、ワイヤレス通信のための装置。
[Ｃ３８]
前記処理システムが、
第２のエンティティにＬＤＣＳ構成を送信するようにさらに構成され、ここにおいて、前記第２のエンティティが、ドーマント状態にない低電力ノード（ＬＰＮ）とマクロセルとのうちの１つを備える、Ｃ３７に記載の装置。
[Ｃ３９]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ３７に記載の装置。
[Ｃ４０]
前記ＬＤＣＳ構成が前記ＬＤＣＳのための送信電力情報を備える、Ｃ３７に記載の装置。
[Ｃ４１]
前記処理システムが、
前記ＬＤＣＳを送信した後に所定のＲＡＣＨ遅延においてランダムアクセスチャネル（ＲＡＣＨ）メッセージを監視するようにさらに構成された、Ｃ３７に記載の装置。
[Ｃ４２]
前記所定のＲＡＣＨ遅延が、前記送信されるＬＤＣＳと前記ＬＤＣＳ構成のうちの少なくとも１つにおいて備えられる、Ｃ４１に記載の装置。
[Ｃ４３]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ４２に記載の装置。
[Ｃ４４]
前記ＬＤＣＳが、前記装置のためのバックホール品質情報とローディング能力情報とのうちの少なくとも１つをさらに備える、Ｃ３７に記載の装置。
[Ｃ４５]
前記ドーマント状態への前記遷移がアクティブ状態から行われ、ここにおいて、前記遷移が、所定の時間期間の満了に少なくとも部分的に基づいて実行される、Ｃ３７に記載の装置。
[Ｃ４６]
前記処理システムは、
少なくとも１つの接続されたユーザ機器（ＵＥ）を監視することと、
いずれかの接続されたＵＥがアクティブであるかどうかを判断することと、ここにおいて、どのＵＥも前記所定の時間期間の間にアクティブでないと判断されたとき、前記ドーマント状態への前記遷移が実行される、を行うようにさらに構成された、Ｃ４５に記載の装置。
[Ｃ４７]
前記処理システムは、
前記装置のどの接続されたＵＥもアクティブでないと判断することと、
前記装置のどの接続されたＵＥもアクティブでないと判断されたとき、間欠受信および送信（ＤＲＸ／ＤＴＸ）モードに遷移することと、ここにおいて、前記ドーマント状態への前記遷移が前記ＤＲＸ／ＤＴＸモードから実行される、を行うようにさらに構成された、Ｃ４６に記載の装置。
[Ｃ４８]
前記処理システムが、
どの接続されたＵＥもアクティブでないと判断するようにさらに構成され、ここにおいて、前記装置が、どの接続されたＵＥもアクティブでないと判断した後に前記所定の時間期間において前記ドーマント状態に遷移する、Ｃ４７に記載の装置。
[Ｃ４９]
前記処理システムが、
前記装置の前記ＤＲＸ／ＤＴＸモードを少なくとも１つの接続されたＵＥのＤＲＸ／ＤＴＸモードに整合させるようにさらに構成された、Ｃ４７に記載の装置。
[Ｃ５０]
前記処理システムが、
前記装置の前記ＤＲＸ／ＤＴＸモードを複数の接続されたＵＥのＤＲＸ／ＤＴＸモードに整合させるようにさらに構成され、ここにおいて、前記接続されたＵＥの各々のための前記ＤＲＸ／ＤＴＸモードが異なる、Ｃ４７に記載の装置。
[Ｃ５１]
前記処理システムが、
前記装置の前記ＤＲＸ／ＤＴＸモードを複数の接続されたＵＥのＤＲＸ／ＤＴＸモードに整合させるようにさらに構成され、ここにおいて、前記接続されたＵＥの各々のための前記ＤＲＸ／ＤＴＸモードが同じである、Ｃ４７に記載の装置。
[Ｃ５２]
前記ＤＲＸ／ＤＴＸモードが、前記装置のアクセスリンクのための構成と、前記装置のバックホールリンクのための構成とを備える、Ｃ４７に記載の装置。
[Ｃ５３]
前記装置の前記アクセスリンクのための前記構成が、前記装置の前記バックホールリンクの前記構成と整合する、Ｃ５２に記載の装置。
[Ｃ５４]
前記装置の前記アクセスリンクのための前記構成が、前記装置の前記バックホールリンクの前記構成とは異なる、Ｃ５２に記載の装置。
[Ｃ５５]
ドーマント状態に遷移するためのコードと、
前記ドーマント状態にある間、超低デューティサイクル信号（ＬＤＣＳ）を送信するためのコードと
を備えるコンピュータ可読媒体
を備える、コンピュータプログラム製品。
[Ｃ５６]
第２のエンティティにＬＤＣＳ構成を送信するためのコードをさらに備え、ここにおいて、前記第２のエンティティが、ドーマント状態にない低電力ノード（ＬＰＮ）とマクロセルとのうちの１つを備える、Ｃ５５に記載のコンピュータプログラム製品。
[Ｃ５７]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ５５に記載のコンピュータプログラム製品。
[Ｃ５８]
前記ＬＤＣＳ構成が前記ＬＤＣＳのための送信電力情報を備える、Ｃ５５に記載のコンピュータプログラム製品。
[Ｃ５９]
前記ＬＤＣＳを送信した後に所定のＲＡＣＨ遅延においてランダムアクセスチャネル（ＲＡＣＨ）メッセージを監視するためのコードをさらに備える、Ｃ５５に記載のコンピュータプログラム製品。
[Ｃ６０]
前記所定のＲＡＣＨ遅延が、前記送信されるＬＤＣＳと前記ＬＤＣＳ構成のうちの少なくとも１つにおいて備えられる、Ｃ５９に記載のコンピュータプログラム製品。
[Ｃ６１]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ６０に記載のコンピュータプログラム製品。
[Ｃ６２]
前記ＬＤＣＳが、前記ＵＥリレーのためのバックホール品質情報とローディング能力情報とのうちの少なくとも１つをさらに備える、Ｃ５５に記載のコンピュータプログラム製品。
[Ｃ６３]
前記ドーマント状態への前記遷移がアクティブ状態から行われ、ここにおいて、前記遷移が、所定の時間期間の満了に少なくとも部分的に基づいて実行される、Ｃ５５に記載のコンピュータプログラム製品。
[Ｃ６４]
少なくとも１つの接続されたユーザ機器（ＵＥ）を監視するためのコードと、
いずれかの接続されたＵＥがアクティブであるかどうかを判断するためのコードと、ここにおいて、どのＵＥも前記所定の時間期間の間にアクティブでないと判断されたとき、前記ドーマント状態への前記遷移が実行される、をさらに備える、Ｃ６３に記載のコンピュータプログラム製品。
[Ｃ６５]
ＵＥリレーのどの接続されたＵＥもアクティブでないと判断するためのコードと、
前記ＵＥリレーのどの接続されたＵＥもアクティブでないと判断されたとき、間欠受信および送信（ＤＲＸ／ＤＴＸ）モードに遷移するためのコードと、ここにおいて、前記ドーマント状態への前記遷移が前記ＤＲＸ／ＤＴＸモードから実行される、をさらに備える、Ｃ６４に記載のコンピュータプログラム製品。
[Ｃ６６]
どの接続されたＵＥもアクティブでないと判断するためのコードをさらに備え、ここにおいて、前記ＵＥリレーが、どの接続されたＵＥもアクティブでないと判断した後に前記所定の時間期間において前記ドーマント状態に遷移する、Ｃ６５に記載のコンピュータプログラム製品。
[Ｃ６７]
前記ＵＥリレーまたは低電力ノード（ＬＰＮ）の前記ＤＲＸ／ＤＴＸモードを少なくとも１つの接続されたＵＥのＤＲＸ／ＤＴＸモードに整合させるためのコードをさらに備える、Ｃ６５に記載のコンピュータプログラム製品。
[Ｃ６８]
前記ＵＥリレーまたは低電力ノード（ＬＰＮ）の前記ＤＲＸ／ＤＴＸモードを複数の接続されたＵＥのＤＲＸ／ＤＴＸモードに整合させるためのコードをさらに備え、ここにおいて、前記接続されたＵＥの各々のための前記ＤＲＸ／ＤＴＸモードが異なる、Ｃ６５に記載のコンピュータプログラム製品。
[Ｃ６９]
前記ＵＥリレーまたは低電力ノード（ＬＰＮ）の前記ＤＲＸ／ＤＴＸモードを複数の接続されたＵＥのＤＲＸ／ＤＴＸモードに整合させるためのコードをさらに備え、ここにおいて、前記接続されたＵＥの各々のための前記ＤＲＸ／ＤＴＸモードが同じである、Ｃ６５に記載のコンピュータプログラム製品。
[Ｃ７０]
前記ＤＲＸ／ＤＴＸモードが、前記ＵＥリレーのアクセスリンクのための構成と、前記ＵＥリレーのバックホールリンクのための構成とを備える、Ｃ６５に記載のコンピュータプログラム製品。
[Ｃ７１]
前記ＵＥリレーの前記アクセスリンクのための前記構成が、前記ＵＥリレーの前記バックホールリンクの前記構成と整合する、Ｃ７０に記載のコンピュータプログラム製品。
[Ｃ７２]
前記ＵＥリレーの前記アクセスリンクのための前記構成が、前記ＵＥリレーの前記バックホールリンクの前記構成とは異なる、Ｃ７０に記載のコンピュータプログラム製品。